(57)【要約】    【課題】  より多くのゴミを収容することのできる、圧縮器を有するゴミ箱を提供することにある。    【解決手段】  本考案の圧縮器を有するゴミ箱は、ゴミ箱のゴミが溢れそうな場合に、ゴミ圧縮器を操作してゴミを圧縮することにより、ゴミ箱が更に多くのゴミを収容できるようになる。    【選択図】  図２
0003137054.tif 000002
【実用新案登録請求の範囲】
【請求項１】
圧縮器を有するゴミ箱であって、
箱と、
前記箱との間にヒンジを装着し、前記箱に対して開閉する箱蓋と、
前記箱の台座の孔を通過して前記箱に進入し、頂部は９０度に湾曲して柄と成り、前記箱蓋と前記台座に近接する箇所は門構え型に形成されて、前記箱蓋を開くようにする棒と、
前記箱の内径より若干小さく、鉄材料から成る格子状の円盤であり、一辺はヒンジを有してプレート片に連接され、前記プレート片はL字型山形鋼から成り、L字型の垂直部分は半円フープを有し、前記棒が前記半円フープを穿過し、９０度湾曲してサプレッサを形成し、前記柄を握って前記棒を下に押すと、前記サプレッサにより押し下げられてゴミを圧縮するプレートと、
から成ることを特徴とする圧縮器を有するゴミ箱。
【請求項２】
前記箱の頂部に水平に挿入され、上に握り棒を有し、握り棒上にスプリングコイルがある取手と、
前記箱の底部に設置されるペダルと、
前記握り棒に連結された後、前記取手後方の孔を穿過して前記箱の底部に下垂し、第一門構え型フープを通過してペダルと連結するワイヤーとを具備し、
前記棒を上昇させ、前記プレートを前記箱の頂部に到達させ、前記棒を９０度旋転すると、前記サプレッサは前記プレートを圧制せず、前記プレート上の第二門構え型フープが取手により引掛かり、前記ペダルを踏む時、前記ワイヤーが下に牽動され、前記握り棒と前記スプリングコイルを引き、前記取手が前記第二門構え型フープを後に引き、前記プレートが上に前記箱蓋を押し上げ、前記箱蓋が開き、ゴミを投入することができ、足が前記ペダルを離れると、前記スプリングコイルの弾力が前記握り棒を前に押し、前記箱蓋と前記プレートを落下させるが、前記取手は前記第二門構えフープを引掛けたままであることを特徴とする請求項１記載の圧縮器を有するゴミ箱。
【請求項３】
前記棒は、上段の楕円形棒と下段の円形棒とを有し、前記上楕円形棒が台座の楕円孔を通過し、前記楕円形棒が９０度旋転することによって、前記楕円形棒が前記楕円孔上で静止することを特徴とする請求項１記載の圧縮器を有するゴミ箱。
【請求項４】
前記棒は、上段の楕円形棒と下段の円形棒とを有し、前記上楕円形棒が台座の楕円孔を通過し、前記楕円形棒が９０度旋転することによって、前記楕円形棒が前記楕円孔上で静止することを特徴とする請求項２記載の圧縮器を有するゴミ箱。
【考案の詳細な説明】
【技術分野】
【０００１】
本考案は、圧縮器を有するゴミ箱に関するものであり、特に、圧縮器を操作してゴミを圧縮することで、ゴミ箱の容量を増加させ得るゴミ箱に関する。
【背景技術】
【０００２】
公知のゴミ箱には圧縮器がなく、ゴミがゴミ箱の中に集積される際、底部と中間にはまだスペースが残っており、一般には手で圧力を加えたり、足で踏んだり、棒で押したりしてゴミを圧縮するが、このような方法は衛生上において問題があった。
【考案の開示】
【考案が解決しようとする課題】
【０００３】
本考案は、圧縮器を有するゴミ箱を提供し、上述した如き従来の問題点を改善することを目的とする。
【課題を解決するための手段】
【０００４】
本考案の圧縮器を有するゴミ箱は、箱と、箱蓋と、台座の孔を通過して箱に進入する棒とを有する。棒の頂部は９０度に湾曲して柄になる。箱蓋と台座に近接する箇所は門構え型に形成され、箱蓋が開くようになっている。
【０００５】
また、本考案の圧縮器を有するゴミ箱は、プレートとプレート片とを有する。プレート片はL字型の山形鋼で、L字型の垂直部分は半円フープを有する。棒は半円フープを穿過し、９０度に湾曲してサプレッサを形成する。柄を握って棒を下に押すと、サプレッサがプレートを押し下げて、箱の中のゴミを圧縮する。
【０００６】
取手が箱の頂部に水平に挿入され、上に握り棒を有し、握り棒上にスプリングコイルがある。ペダルが箱の底部に設置されており、ワイヤーは、握り棒に連結された後、取手後方の孔を穿過して箱の底部に下垂し、第一門構え型フープを通過してペダルと連結している。
【０００７】
棒は、上段の楕円形棒と下段の円形棒に分けられる。上楕円形棒が台座の楕円孔を通過したのち、楕円形棒を９０度旋転させると、上段の楕円形棒は楕円孔上で静止する。
【０００８】
棒を上昇させ、プレートを箱の頂部に到達させ、棒を９０度旋転すると、サプレッサはプレートを圧制しない。このとき、プレート上の第二門構え型フープは取手に引掛かる。ペダルを踏んだ際、ワイヤーが下に牽動され、握り棒とスプリングコイルを引き、これにより取手が第二門構え型フープを後に引き、プレートが上に箱蓋を押し上げ、箱蓋が開いてゴミを投入することができる。
【０００９】
足をペダルから離すと、スプリングコイルの弾力が握り棒を前に押し、箱蓋とプレートとを下向きに落下揺動させるが、取手は第二門構えフープを引掛けたままである。
【考案の効果】
【００１０】
本考案の圧縮器を有するゴミ箱によれば、ゴミ箱からゴミが溢れそうな場合、ゴミ圧縮器を操作してゴミを圧縮することで、ゴミ箱に更に多くのゴミを収容できるようになる。
【考案を実施するための最良の形態】
【００１１】
図１は、本考案の圧縮器を有するゴミ箱を示す図であり、箱１の内部は、空間１１と空間１２との２つに分割され、一方の空間１１はゴミを収容する為の空間である。他方の空間１２はL字型の空間で、底部にはペダル１２１、門構え型フープ１２２(第一門構え型フープ)を有し、垂直部にはワイヤー１２３を有している。箱蓋２は箱１との間にヒンジ２１、２２を装着しており、箱蓋２は箱１に対して開閉するようになっている。箱１の上部に設けた台座４の孔４１には棒３が穿過し、この棒３は箱１の空間１１に進入している。棒３の頂部は９０度に湾曲して柄３１と成っている。箱蓋２と台座４の近くに門構え型を形成するので箱蓋２が開く。
【００１２】
図２は、本考案の圧縮器を有するゴミ箱の内部を示す図であり、プレート５は箱１より内径が若干小さく、鉄材料から成る格子状の円盤である。プレート５の一辺にはヒンジ５１、５２が設けられてプレート片５３と連接されている。プレート片５３はL字型山形鋼であり、L字型の垂直部分の前方には半円フープ５３１が取付けられている。棒３は半円フープ５３１を穿過し、９０度に湾曲することによってサプレッサ３２を形成している。
【００１３】
図１および図２に示した状態から、図３で示されるように、柄３１を握って棒３を下に押すと、サプレッサ３２がプレート５を押し下げることにより、箱１における空間１１内のゴミが圧縮されることとなる。
【００１４】
上述の如くゴミを圧縮した後、柄３１を握って棒３を引き上げ、箱１に対する頂部(最上位)にまで到達させた際、図４に示す如く、棒３と共に引き上げられたプレート５上の門構え型フープ(第二門構え型フープ)５４が、取っ手６に引掛けられることとなる。
【００１５】
図４および図５に示す如く、上記棒３は上段の楕円形棒３３と、下段の円形棒３４に分けられる。図５(ａ)に示す如く、上段の楕円形棒３３が台座４の穿孔４１(楕円孔)を通過した後、図５(ｂ)で示す如く、棒３を９０度旋転させることにより、上段の楕円形棒３３は穿孔４１上で静止(係止)するため、サプレッサ３２はプレート５を圧制することなく、このときプレート５は箱１に対する頂部(最上位)で静止することとなる。
【００１６】
図６に示す如く、取手６は前棒６１と後棒６２に分けられ、前棒６１には握り棒６３が固定設置されているとともに、握り棒６３にはスプリングコイル６４が設けられている。握り棒６３には、後棒６２の前方の孔６５を通過するワイヤー１２３が連接しており、このワイヤー１２３は、後棒６２の後方の孔６６を通過したのち下垂し、門構え型フープ１２２(図１参照)を通過してペダル１２１と連接している。
【００１７】
図７に示す如く、ペダル１２１を踏んだ際、ワイヤー１２３が下に牽動されることで、握り棒６３とスプリングコイル６４とが引動され、取手６(前棒６１)が門構え型フープ５４を後方へ引くことにより、プレート５が上向きに揺動して箱蓋２を上方へ押すため、箱蓋２が開いてゴミを投入することが可能となる。
【００１８】
ペダル１２１から脚を離すと、スプリングコイル６４の弾性復帰力により、取手６の前棒６１が前に押されて元の位置に復帰し、このとき、箱蓋２とプレート５とは下方へ落下揺動するものの、取手６(前棒６１)はプレート５の門構えフープ５４に対して引掛かったままの状態にある。
【００１９】
本考案では、好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案明の保護範囲は、実用新案請求の範囲で指定した内容を基準とする。
【図面の簡単な説明】
【００２０】
【図１】本考案の圧縮器を有するゴミ箱を示す図。
【図２】本考案の圧縮器を有するゴミ箱の内部を示す図。
【図３】プレートが下降してゴミを圧縮する状態を示す図。
【図４】プレート上の門構え型フープが取手により引掛けられた状態を示す図。
【図５】(ａ)および(ｂ)は、上昇した棒を９０度旋転させることにより上段の楕円形棒が台座の楕円孔で静止している状態を示す図。
【図６】取手周辺の構造を示す図。
【図７】ペダルを踏んで箱蓋を開けた状態を示す図。
【符号の説明】
【００２１】
１…箱、
１１…空間、
１２…空間、
１２１…ペダル、
１２２…門構え型フープ(第一門構え型フープ)、
１２３…ワイヤー、
２…箱蓋、
２１…ヒンジ、
２２…ヒンジ、
３…棒、
３１…柄、
３２…サプレッサ、
３３…楕円形棒、
３４…円形棒、
４…台座、
４１…孔、
５…プレート、
５１…ヒンジ、
５２…ヒンジ、
５３…プレート片、
５３１…半円フープ、
５４…門構え型フープ(第二門構え型フープ)、
６…取手、
６１…前棒、
６２…後棒、
６３…握り棒、
６４…スプリングコイル、
６５…孔、
６６…孔。
【図１】
0003137054.tif 000003
【図２】
0003137054.tif 000004
【図３】
0003137054.tif 000005
【図４】
0003137054.tif 000006
【図５】
0003137054.tif 000007
【図６】
0003137054.tif 000008
【図７】
0003137054.tif 000009